Podtech/llm-jp-corpus-v4-ja_patent huggingface dataset:
(57)【要約】【課題】従来の履物は履物底取替えや磨耗による履物接地部取替えや水や汚れ除去等の問題がある、これらを解決する。【解決手段】履物底と甲皮履物に分離独立させ甲皮履物は屋内外兼用とし冬用夏用を設け履物底は前方接地部と接地踵部をマジックテープで着脱自在とし接地踵部は楕円形にして前後左右４回の差し替えにより磨耗を均一にする。甲皮履物と履物底はマジックテープで結合して歩行する。左右同一形状で厚さが平らな履物底は前後左右４回の履き替えで磨耗対策をして室内履物底又は屋外用とする。水や汚染は甲皮履物をファスナーで開閉して問題を除去【選択図】      図１
2005007158.tif 000002
【特許請求の範囲】
【請求項１】
甲皮履物と履物底を分離し着脱自在で履物底磨耗対策の履物に関するもので履物の甲皮と履物底を分離し甲皮履物と履物底をマジックテープで着脱自在とし履物底においては前方接地部と接地踵部をマジックテープで着脱自在で接地踵部は楕円形であり前後左右４回の差し替えにより磨耗が均等になる特徴を有する履物底と左右同一形状で前後左右４回の履き替えにより磨耗が均等になる特徴を有する履物底。
【請求項２】
甲皮履物と履物底を分離し着脱自在で履物底磨耗対策の履物に関するもので底面にマジックテープがついた甲皮履物で甲皮の外周にファスナーを取り付け履物の開閉分解をする特徴を有する甲皮履物。
【発明の詳細な説明】
【技術分野】
【０００１】本発明は、履物底と甲皮を分離独立させた甲皮履物（皮・布・合成皮・羊毛・化学製品布）をマジックテープで履物底と着脱自在とし、履物底の磨耗対策は接地部（前方部と踵部）をマジックテープにより着脱自在として接地踵部は前後左右の４回の差し替えにより磨耗を均等にでき購入者で用途別接地部取替えが可能。左右同一形状履物を前後左右４回履き替えられる履物底と甲皮履物は水対策に甲皮周囲のファスナーを開き太陽で乾かせる。足脚が冬暖かく夏は夏用甲皮履物を履ける。甲皮履物は屋内外兼用とし屋内では屋内用履物底をマジックテープで着脱自在である。
【背景技術】
【０００２】従来は甲皮と履物底が一体であり履物が磨耗しても対応措置を設けていない履物であり雨水が侵入して深靴履物・ブーツ履物・短靴履物を乾かすのにも問題点があった。
【発明の開示】
【発明が解決しようとする課題】
【０００３】その為に次のような問題点があった。
（イ）従来の履物は履物底に磨耗対策がなかった。
（ロ）履物の内部や先端部が隠れているため水が浸入し足が汚れ不潔であった。
（ハ）履物底の取替えや接地踵部の差し替えを購入者で出来ない。
（ニ）履物底の前方接地部及び踵接地部を用途別接地部に取り替えられない。
本発明は以上の問題点を解決するためになされたものである。
【課題を解決するための手段】
【０００４】甲皮を履物底から分離独立させた甲皮履物の平たい底と履物底をマジックテープで着脱自在として衣類と同じく甲皮履物は屋内外共通に使用する。【０００５】甲皮の外周にファスナーを取り付け、甲皮履物を開き太陽やドライヤーで乾かせ清潔に手入れができ且つ足脚の脱ぎ履きを容易にする。【０００６】履物底は前方接地部と接地踵部とをマジックテープで着脱可能にして接地踵部は楕円形として前後左右４回の差し替えで磨耗を均等にする、又「図５」の如く左右同一形状履物を前後左右４回の履き替えにより磨耗を均等にして室内用と室外用に区分する。
【発明の効果】
【０００７】
【０００８】履物底を用途により取り替えられる。たとえば屋内用の履物底は従来の底か布でも良い又屋外用は用途によって履物底を取り替えられ甲皮履物を保護できる。【０００９】履物底（Ｆ）の前方接地部は取替え可能であり接地踵部（Ｇ）は上下左右４回差し替えて磨耗を均一にでき購入者が履物底の接地部を取り替えられる。【００１０】甲皮履物をファスナーカバー付きファスナー（Ｃ）とすることも出来ファスナーで甲皮履物を分解して手入れや洗濯して太陽やドライヤーで乾かせるのが容易である。【００１１】甲皮の外周のファスナーにより履物の脱ぎ履きが容易である。
【発明を実施するための最良の形態】
【００１２】
【実施例１】
【００１３】以下本発明の実施の形態について説明する。
図面を参照して説明する。「図１」は代表図で深靴型甲皮履物（１）でありＡ点より２点鎖線沿いにファスナーＢ点まで沿ってゆきファスナーが外れると開かれ内部の手入れや太陽やドライヤーでブーツ履物内部を乾かせる。材質は洗えるものであれば洗濯した後に乾かせる。その後、足を入れファスナーを元通りしめれば甲皮履物を履いた状態になる、又底面の（Ｄ）はマジックテープ雌で甲皮履物の平たい底面に縫いつけ又は接着剤で固着しておく（Ｆ）は履物底で上面に（Ｅ）マジックテープ雄があり履物底（Ｆ）と（１）を着脱自在としている。（Ｆ）履物底と（Ｇ）接地踵部はマジックテープで着脱自在であり（Ｇ）は楕円形なので前後左右４回の差し替えで（Ｇ）の磨耗を均等に出来る。「図２」は（Ｆ）履物底の裏面図で（Ｈ）は前方接地部であり（Ｆ）の履物底にマジックテープで着脱自在である。「図５」（Ｉ）左右同一形状の履物底に履きかえることも出来かつ「図６」のサンダル履物（４）で履き替えもでき（４）で（Ｉ）を履き前後左右４回の履き替えで磨耗を均等にすることが出来る。なおマッジクテープはモリト株式会社（０６−６２５２−３５５７）製で実験して成功した。
【実施例２】
【００１４】「図３」はブーツ型甲皮履物であり以後の説明は代表図の説明と重複するので省略する。
【実施例３】
【００１５】「図４」は短靴履物の甲皮履物であり以後の説明も代表図の説明と重複するので省略する。
【実施例４】
【００１６】「図６」はサンダル型甲皮履物であり以後の説明も代表図の説明と重複するので省略する。
【図面の簡単な説明】
【００１７】
【図１】    深靴型甲皮履物とファスナー開平と履物底と接地踵部の分解斜視図
【図２】    履物底の裏面図
【図３】    ブーツ型甲皮履物の斜視図
【図４】    短靴甲皮履物の斜視図
【図５】    左右同一形状履物底の斜視図
【図６】    サンダル甲皮履物の斜視図
【符号の説明】
【００１８】Ａ    ファスナー始点
Ｂ    ファスナー終点
Ｃ    ファスナー  ファスナーカバー付でも良い
Ｄ    マジックテープ雌
Ｅ    マジックテープ雄
Ｆ    履物底
Ｇ    接地踵部
Ｈ    前方接地部
Ｉ    左右同一形状履物底
１    深靴型甲皮履物
２    ブーツ型甲皮履物
３    短靴型甲皮履物
４    サンダル型甲皮履物
【図１】
2005007158.tif 000003
【図２】
2005007158.tif 000004
【図３】
2005007158.tif 000005
【図４】
2005007158.tif 000006
【図５】
2005007158.tif 000007
【図６】
2005007158.tif 000008
(57)【要約】      （修正有）【課題】バットを壁に掛けてインテリアの一部として飾ることの出来る保持具（ホルダー）を安全性にも十分考慮して、提供する。【解決手段】背板１に半円状のくぼみ加工を施したバットの保持材２ａ，２ｂを上下、左右に少し位置を違えて取り付けることにより、バットのヘッドの重さを利用してずれることなくバットを横向きに飾ることができる。このパターンを背板を長くすることで繰り返すことにより、パターンの数だけバットを保持、展示することができる。【選択図】  図１
2005007115.tif 000002
【特許請求の範囲】
【請求項１】
背板（１）にバットの保持材（２ａ），（２ｂ）を設けた、バットの壁掛けホルダー。
【発明の詳細な説明】
この発明は、バットを壁に掛けてインテリアの一部として飾ることが出来る、バットの壁掛けホルダーに関するものである。
従来、バットの所有者は、それぞれが工夫してバットを壁に立てかけたり、筒状の箱等に入れたりすることが多く、又、棚などにバットを寝かせて置いて飾るなどしていました。つまり、バットを壁に飾る製品としての保持具はありませんでした。
本発明は、その事に着眼し、開発したものです。
それを図面について説明すれば、背板（１）にバットの保持材（２ａ），（２ｂ）を位置を上下、左右に少し違えて取り付けるだけ（図１）で、バットを横向きに保持する事ができるようになります。これは、バットのヘッドの重さを利用した保持方法です。又、そのバットの保持材には、半円状のくぼみ加工が施してあるので、バットがヘッドの重みで保持材のくぼみに食い込むためバットが前に抜け落ちないという安全上のずれ止め機能が付いています。バットの保持材２本で１本のバットが横向きに保持できます（これが１パターン）。背板を長くして、このパターンを繰り返せば、パターンの数だけバットを保持、展示することが出来ます。
壁への取り付けは、背板の裏側に吊り金具が取り付けてあるので、２本のネジで簡単に取り付けることが出来ます。
構造が簡単で単純なので、量産が出来、安価に提供することが出来ます。
又、背板の形は、四角だけでなく、曲線を取り入れるなどすれば、更におしゃれな製品になります。
【図面の簡単な説明】
【図１】本発明の斜視図である。
【図２】本発明の使用状態を示す正面図である。
【図３】本発明の使用状態を示す斜視図である。
【符号の説明】
１は背板    ２ａ，２ｂはバットの保持材    ３はバット
【図１】
2005007115.tif 000003
【図２】
2005007115.tif 000004
【図３】
2005007115.tif 000005
(57)【要約】【課題】この発明は爪に負担をかけず、美しく爪を切断するために上刃、下刃それぞれを２方向に弧形の刃を設けた爪切りに関するものである。【解決手段】人の爪を、指の先端を正面として見ると、弧形である。この弧形の平均的なカーブに加工した上刃（１）を設ける。上刃（１）にかみあう下歯（２）を設ける。【選択図】  図１
2005007119.tif 000002
【特許請求の範囲】
【請求項１】
刃の形状が、立体的な二つの方向に弧形である爪切り
【発明の詳細な説明】
この発明は、爪切りの刃の、弧形の形状を、立体的に二つの方向に設けた爪切りである。
従来の爪切りの刃の形状は、手の甲の側から見た爪の形を整えるためだけに弧形になっている。しかし、本来、人間の爪は、指の先端側から見ても、弧を描いた形状である。従って、従来の爪切りは、この弧形の爪を無理に直線にし、爪に負担をかけながら切断している。人によっては縦に爪が割れると聞く。
本発明はその欠点を解決するものである。これを図面について説明すると、指の先端側から見た平均的な爪の弧形を、爪切りの刃の側を正面として、同じように孤形に加工した刃を設ける。これが図（１）である。
これによって、爪の弧形をたもったまま切断できる。
このように本発明は、爪に負担をかけず、美しく切るという問題を解決したものである。
【図面の簡単な説明】
【図１】本発明の刃の側を正面とした正面図
【図２】本発明の斜視図
【図３】従来の爪切りの刃の正面図
【符号の説明】
（１）は上刃                          （２）は下刃
（３）は従来の爪切りの上刃            （４）は従来の爪切りの下刃
【図１】
2005007119.tif 000003
【図２】
2005007119.tif 000004
【図３】
2005007119.tif 000005
【手続補正書】
【提出日】平成15年9月29日(2003.9.29)
【手続補正２】
【補正対象書類名】図面
【補正対象項目名】図２
【補正方法】変更
【補正の内容】
【図２】
2005007119.tif 000006
(57)【要約】【目  的】本発明は低反発ウレタンフォーム製枕の欠点である蒸れを解消し、気温が高くなる夏でも快適な環境で使用することが出来る低反発枕に関する物である。【構  造】本発明の構造は下側に凍らせた蓄冷材を入れるポケットを付けた枕カバーに、断熱シートの上に載せた凍らせた蓄冷材挿入して使用する構造である。また、低反発ウレタンフォームに凍らせた蓄冷材の冷気が通過するための貫通穴を開けた構造である。【使用方法】本発明の使用方法は凍らせた蓄冷材（３）を断熱シート（７）の上に載せ、枕カバーの下側に付けたポケット（４）に挿入して使用する。【選択図】  図２
2005007116.tif 000002
【特許請求の範囲】
【請求項１】
低反発ウレタンフォームを使用した枕において、低反発ウレタンフォームを包んでいる枕カバーの下側に蓄冷材を入れるポケットを付け、その中に凍らせた蓄冷材を入れて使用する構造を特徴とする低反発枕である。
【請求項２】
請求項１を特徴とする低反発枕において凍らせた蓄冷材を、表面に熱を反射させる機能を持ったシート、例えばアルミ蒸着フィルム等を断熱性のある素材、例えばポリエチレンフォーム等に貼り合わせた物（以下断熱シートと言う）の上に載せ、枕カバー下側のポケットに入れて使用することを特徴とする低反発枕である。
【請求項３】
請求項１を特徴とする低反発枕において枕を構成する低反発性ウレタンフォームの適当な位置に凍らせた蓄冷材から発生する冷気を通過しやすくするための貫通穴を適宜開けた構造を特徴とする低反発枕である。
【発明の詳細な説明】
【０００１】
【産業上の利用分野】
本発明は一般的に使用されている低反発ウレタンフォーム製枕の欠点である蒸れを解消し、気温が高くなる夏でも快適な環境で使用することが出来る低反発枕である。
【０００２】
【従来の技術と課題】
従来、低反発ウレタンフォーム製枕は低反発ウレタンフォームの低反発性により頭にぴったりとフィットするため快適な睡眠を得ることが出来た。しかし、低反発ウレタンフォームは低反発性を得るために一般のウレタンフォームに比べ通気性が悪くまた、頭にぴったりとフィットするため低反発ウレタンフォームの持つ断熱性により夏などの気温の高い季節では頭が蒸れて、寝苦しくさせていた。さらに低反発ウレタンフォームは温度上昇に伴い本来低反発ウレタンフォームの特徴である低反発性が低下する欠点があった。
【０００３】
【課題を解決するための手段】
本発明は簡単な構造でこれらの欠点を改善し考案した物である。
以下、その構造を説明する。
本発明の構造は、低反発ウレタンフォーム（１）を包んでいる枕カバー（２）の下側に蓄冷材（３）を入れるポケット（４）を付け、その中に表面に熱を反射させる機能を持ったシート、例えばアルミ蒸着フィルム（５）等を断熱性のある素材、例えばポリエチレンフォーム（６）等に貼り合わせた物を（以下断熱シート（７）と言う）の上に載せた凍らせた蓄冷材（３）を入れて使用する構造である。また低反発性ウレタンフォーム（１）の適当な位置に凍らせた蓄冷材（３）から発生する冷気を通過しやすくするための貫通穴（８）を適宜開けた構造である。
次にその使用方法について説明する。
前記の低反発枕の枕カバー（２）のポケット（４）に冷蔵庫等で凍らせた蓄冷材（３）を断熱シート（７）の上に載せて、挿入して使用する。また使用後の蓄冷材（３）は冷蔵庫等で凍らせて繰り返し使用する。
【０００４】
【発明の効果】
このようにごく簡単な構造の組み合わせで従来の欠点を改善した低反発枕を提供することが出来る。
以下、その効果を箇条書きする。
（１）凍らせた蓄冷材が低反発枕を冷やす事により、気温が高くなる夏でも低反発ウレタンフォームの低反発性を維持する事が出来る。
（２）低反発ウレタンフォームは断熱性を有しているが、凍らせた蓄冷材から出る冷気が低反発ウレタンフォームに開けられた貫通穴から頭に直接伝わるため頭を冷やし蒸れを防ぐ。
（３）凍らせた蓄冷材を断熱シートの上に載せてあるため凍らせた蓄冷材から出る冷気は断熱シートの輻射と断熱効果により、低反発ウレタンフォームに開けられた貫通穴方向へ流れ、効率の良い冷却が出来る。
（４）低反発ウレタンフォームを包んでいる枕カバーの下側に付けたポケットに凍らせた蓄冷材を断熱シートの上に載せて入れる事により、凍らせた蓄冷材は低反発ウレタンフォームに開けられた貫通穴の真下に正確にセットされるので、冷気が低反発ウレタンフォームに開けられた貫通穴を通って頭を冷やし蒸れを防ぐ。
（５）低反発ウレタンフォームを包んでいる枕カバーの下側に付けたポケットに凍らせた蓄冷材を断熱シートの上に載せて入れる事により、睡眠中に凍らせた蓄冷材が移動し低反発枕からずれることがない。
（６）枕カバーの下側に付けたポケットに入れた凍らせた蓄冷材と断熱シートを取り出せば普通の低反発枕として使用できる。
【図面の簡単な説明】
【図１】は、本発明の本発明の断面構造図
【図２】は、本発明の使用例  半断面斜視図
【符号の説明】
１．冷気通過のための貫通穴を開けた低反発枕の中身となる低反発ウレタンフォーム
２．低反発ウレタンフォームを包んでいる枕カバー
３．凍らせた蓄冷材
４．凍らせた蓄冷材を載せた断熱シートを入れるポケット
５．輻射効果のあるアルミ蒸着シート等の素材
６．断熱効果のあるポリエチレンフォーム等の素材
７．断熱シート
８．低反発ウレタンフォームに開けた冷気通過のための貫通穴
【図１】
2005007116.tif 000003
【図２】
2005007116.tif 000004
(57)【要約】      （修正有）【課題】暗闇の部屋等で、ローソクの消えた後の高熱の香炉や、沸騰したアロマオイル水溶液のやけどの危険を、蓄光塗料から放つ光によって回避する。【解決手段】香炉本体１の少なくても一部に蓄光塗料７を塗布することを特徴とする。【選択図】  図２
2005007118.tif 000002
【特許請求の範囲】
【請求項１】
蓄光塗料をすくなくても一部に塗布した香炉。
【発明の詳細な説明】
この発明は、蓄光塗料を塗布した香炉に関するものである。
【００１】
［発明の属する技術分野］
蓄光塗料を塗布した香炉に関わるものである。
【００２】
［従来の技術］
従来の香炉は、ローソクの炎から発する明かりで、室内の暗闇の中で香炉の位置がわかった。
【００３】
［発明が解決しようとする課題］
これは次のような欠点があった。
（イ）  香炉内のローソクの火が消えると、炎から発する明りが無くなり、香炉の上部の凹の皿にアロマオイルが入った沸騰した水溶液があり、暗い室内で、香炉の位置が分からず危険である。
（ロ）  アロマオイル水溶液が全て蒸発した後、ローソクの火が消えると炎から発する明りが無くなり、しばらく香炉自体が高温状態であり、暗い室内で、香炉の位置が分からず危険である。
本発明は、これらの欠点を除くためになされたものである。
【００４】
［課題を解決するための手段］
香炉本体（１）の上部に、アロマオイルが混ざった水溶液（２）溜める凹の皿（３）を設け、香炉本体（１）の側面に、ローソク（４）を底へ置けるようにしたローソク取り出し口（５）を設ける。
そして、香炉本体（１）上部の凹の皿（３）と香炉本体（１）の底との間に、空気口（６）の穴を開け、香炉本体（１）の内側の少なくても一部に蓄光塗料（７）を塗布する。
本発明は、以上のような構成よりなる香炉である。
【００５】
［発明の実施の形態］
以下、本発明の実施の形態について説明する。
（イ）  香炉本体（１）の上部に、アロマオイルが混ざった水溶液（２）を溜める凹の皿（３）を設ける。
（ロ）  香炉本体（１）の側面に、ローソク（４）が自由に出し入れ出来る大きさのローソク取り出し口（５）を設ける。
（ハ）  香炉本体（１）の側面に、アロマオイルが混ざった水溶液（２）を溜める凹の皿（３）と香炉本体（１）の底との間に、空気口（６）の穴を開ける。
（ニ）  香炉本体（１）の内側の少なくても一部に蓄光塗料（７）を塗布する。
本発明は以上のような構造で、これを使用するときは、香炉本体（１）の上部に、アロマオイルが混ざった水溶液（２）を凹の皿（３）へ溜める。
ローソク取り出し口（５）から、ローソク（４）を香炉本体（１）の底へ置き点火させる。
香炉本体（１）を使用する部屋の照明を消し、ローソクの炎（８）から発する明りのみで部屋の照明にする。
ローソクの炎（８）で、アロマオイルが混ざった水溶液（２）が沸騰し、アロマオイルの香りの成分を水蒸気と共に空気中に拡散する。
香炉本体（１）の内面に塗布した蓄光塗料（７）は、ローソクの炎（８）から発する光を蓄光塗料（７）に蓄えてる。
ローソク（４）が燃え尽きた暫くの間は、香炉本体（１）の内側に塗布した蓄光塗料（７）が、暗闇の中で空気口（６）の穴とローソク取り出し口（５）を通じて輝きだし、暗闇の中にある香炉本体（１）の位置が確認出来、火事や火傷などの危険から守る事が出来る。
そして、沸騰したアロマオイルが混ざった水溶液（２）や高温状態の香炉本体（１）などの放熱と平行して、蓄光塗料（７）から放出する光が薄れていく事により、危険度の度合いの目安にもなる。
なお図３の示すように、香炉本体（１）の外側の少なくても一部や香炉本体（１）の下に敷く皿や、敷板（１０）などの表面の少なくても一部に、蓄光塗料（７）を塗布し、室内の照明器具（９）から発する光を蓄光塗料（７）に蓄えて、蓄光塗料（７）から光を放出する事により、照明を消した後の香炉本体（１）の位置確認が出来、より一層の危険回避に繋がる。
また、アロマオイルの香りの成分を空気中に拡散する香炉（１）の熱源に、電球やヒーターなどを用いたものや茶香炉も含まれる。
【００６】
［発明の効果］
ローソクの炎が燃え尽きた直後の加熱した香炉や、沸騰したアロマオイル水溶液を持つ香炉から、香炉みずから蓄光塗料により放つ光によって、暗闇の中でも香炉の位置が確認出来る事により、きわめて安全である。
【００７】
【図面の簡単な説明】
【図１】本発明の斜視図である。
【図２】本発明の一部を切り欠いた側面図である。
【図３】本発明の他の実施例を示す斜視図である。
【符号の説明】
１  香炉本体
２  アロマオイルが混ざった水溶液
３  香炉本体上部の凹皿
４  ローソク
５  ローソク取り出し口
６  空気口
７  蓄光塗料
８  ローソクの炎
９  室内の照明器具
１０  敷板
【図１】
2005007118.tif 000003
【図２】
2005007118.tif 000004
【図３】
2005007118.tif 000005
(57)【要約】      （修正有）【課題】イヤリング装着時の圧力調整を可能にし、装着者の苦痛を緩和し，尚且つ、ピアス金具としても使用できるイヤリング、ピアス兼用金具を提供する。【解決手段】折りたたみ式ピアス金具Ｃとパイプ状ネジ軸部Ｅとパイプ状ネジ軸と同じ内径の穴をあけた耳裏面接触部Ｂを持つネジ、バネ式イヤリング金具を使用し、ピアス金具としての使用時にはネジ軸部のパイプの中にピアス針を収め、イヤリング金具としての使用時にはピアス針を折りたたみ、ネジ回転作用部Ｆを回転させイヤリング金具の圧力調整機能が確保できるイヤリング、ピヤス兼用金具の形態とする。【選択図】  図１
2005007117.tif 000002
【特許請求の範囲】
【請求項１】
ネジ、バネ式イヤリング金具のネジ軸部をピアスの針が収まる様にパイプ状にする。（図  ２）
【請求項２】
ネジ、バネ式イヤリング金具の耳接触面の対面、装飾品本体の裏側に折りたたみ式ピアスの金具を取り付ける。（図  ２）
【請求項３】
ネジ、バネ式イヤリング金具の耳裏面部接触面の中央部にピアスの針を通すためのパイプ状のネジ軸部と同じ内径の穴を開けておく。（図  ６）
【発明の詳細な説明】
【００１】
（産業上の利用分野）
この発明は、装飾品の金具、イヤリングとピアスを兼用にし、尚且つ、装着感を向上させたものである。
【００２】
（従来の技術）
従来のピアスとイヤリングの兼用金具には、バネ式イヤリングとピアスの兼用金具は、存在し使用されてきた。又、パイプ状軸を使用した金具は存在したが、ネジ加工されてなくイヤリングの耳裏面部接触面に穴は存在しない。
【００３】
（発明が解決しようとする課題）
ネジ式イヤリング金具の特徴として装着時の耳接触部の圧力をネジにより簡単に調整できる。又、バネ式イヤリング金具のピアス兼用金具は存在するが、ネジ式でないため、装着時の圧力調整が困難である。課題として、イヤリングとピアスの兼用金具で装着時の圧力調整が簡単にできる事。
【００４】
（課題を解決するための手段）
課題を解決する手段としてネジ式イヤリングとバネ式イヤリング、ピアス兼用金具利点を融合する事である。
ネジ、バネ式イヤリング金具のネジ軸部をパイプ状にし、耳裏面接触部にもパイプと同じ径の穴をあけ折りたたみ式ピアス金具の針が収まる様にする。
【００５】
（作用）
ピアスとして使用する時、イヤリング金具の耳裏面接触面がピアスのキャッチの役目となる。又、イヤリングとして使用する時は本来の機能と変わりない。
【００６】
（発明の効果）
イヤリング、ピアス兼用金具に於いて、イヤリング装着時の圧力調整が可能になり、装着者の苦痛を緩和する。
【図面の簡単な説明】
【図  １】側面図である。
本体の名称説明図である。
【図  ２】断面図である。
ピアス針がパイプ状ネジ軸部に収まった時の図（ピアス金具としての使用時）
【図  ３】断面図である。
（イヤリング金具としての使用時）
【図  ４】ネジ、バネ式イヤリング側面図である。
【図  ５】折りたたみ式ピアス金具側面図である。
【図  ６】イヤリング耳裏面接触部の正面図である。
【図１】
2005007117.tif 000003
【図２】
2005007117.tif 000004
【図３】
2005007117.tif 000005
【図４】
2005007117.tif 000006
【図５】
2005007117.tif 000007
【図６】
2005007117.tif 000008
(57)【要約】【課題】現在内燃機関の排気ガスは、消音器を通過し大気に放出しているものを、水槽の水中に排気し通過させることにより、浮遊粒子状物質（ＳＰＭ）等を激減する装置である。エアー工具の排出エアーも、布・紙製の袋等を通過させ大気に放出している為、工場に粉塵を発散しているものを、この水槽を通過させる事で激減する装置である。【解決手段】内燃機関の排気ガス、エアー工具の排出エアーを水槽の水中に排気・排出し通過させることにより、排気ガス中の浮遊粒子状物質（ＳＰＭ）等、排出エアーの粉塵が水と混合し大気に放出しない装置で、水槽の手入れも非常に簡単、安価で水の交換・補給だけでよく、大気汚染公害が激減する装置である。【選択図】図１
2005007289.tif 000002
【特許請求の範囲】
【請求項１】
内燃機関の排気ガス、エアー工具の排出エアーを直接大気に放出することなく水中に排気、大気に放出する方式。
【発明の詳細な説明】
【０００１】
【発明が属する技術分野】
本発明は、内燃機関の排気ガス、エアー工具の排出エアーを大気に直接放出することなく水中を通過、排気・排出させ大気に放出する装置である。
【０００２】
【従来の技術】
従来、内燃機関の排気ガスは消音器等を通過させ、直接大気に放出している。浮遊粒子状物質（ＳＰＭ）等減少する装置はあるが、水中だけ通過する装置はない。エアー工具のエアー排出は布、紙製の袋を通過させ大気に放出している為、粉塵を撒き散らしている。
【０００３】
【発明が解決しようとする課題】
解決しようとする問題点は、現在の内燃機関の排気ガスの浮遊粒子状物質（ＳＰＭ）等、エアー工具の排出エアー粉塵を激減する方法である。
【０００４】
【課題を解決するための手段】
本発明は、内燃機関の排気ガス、エアー工具のエアー排出を直接外気に放出することなく、水中に排出し排気ガスの浮遊粒子状物質（ＳＰＭ）等、エアー工具の排出エアーの粉塵を水と混合させ外気に放出しない方法である。
【０００５】
【発明の実態の形態】
本発明は、水槽に水を入れ内燃機関の排気ガス、エアー工具の排出エアーを水中に排気・排出する装置でそれを図面について説明すれば、排気ガス・排出エアーが水中を通過し大気に放出する装置である。
【０００６】
【発明の効果】
以上説明したように内燃機関の排気ガスの浮遊粒子状物質（ＳＰＭ）等、エアー工具の排出エアーの粉塵が水中を通過する事により水と混合し、今まで大気に直接放出されていた排気ガスの浮遊粒子状物質（ＳＰＭ）等、排出エアーの粉塵を水槽に蓄積し、水を交換又は補給する事で今問題に成っている大気汚染公害、工場に飛散する粉塵を激減解決するには、一役出来る発明である。
【図面の簡単な説明】
【図１】内燃機関から大気までの排気ガス行程の断面図である。
【図２】エアー工具から大気までの排出エアー行程の断面図である。
【図３】排気ガスと水槽の断面図である。
【図４】排気ガス管と水槽の平面図である。
【図５】排出エアーと水槽の平面図である。
【符号の説明】
１  内燃機関
２  排気ガス管
３  消音器
４  排気ガス
５  水槽
６  注水バルブ
７  排水バルブ
８  水槽仕切り板
９  穴あき板
１０水面
１１満水バルブ
１２エアー工具
１３排出パイプ
１４水槽
１５仕切り板
１６穴あき板
１７水面
【図１】
2005007289.tif 000003
【図２】
2005007289.tif 000004
【図３】
2005007289.tif 000005
【図４】
2005007289.tif 000006
【図５】
2005007289.tif 000007
(57)【要約】【課題】従来のハンドハンマーは全体に占める殴打部分の面積が小さく、打ち損じや、誤って柄２部分で殴打する為、柄２を損傷する事がすくなくなかった。【解決手段】本発明は、殴打部分１を柄２方向に長くすることにより、打ち損じや、柄の損傷を少なくしたものである。【選択図】  図２
2005007562.tif 000002
【特許請求の範囲】
【請求項１】
殴打部分１を柄２方向に長くして打ち損じを少なくしたハンドハンマー
【発明の詳細な説明】
【０００１】
本発明はハンドハンマーの殴打部分１を長くすることにより、殴打時の打ち損じを少なくし、ひいては柄部分２の損傷を軽減させることを目的としたものである。
【０００２】
従来のハンドハンマーは全体に占める殴打部分の面積が小さく、強く殴打すると打ち損じたり、又そのために柄を傷めたりしがちであった。
【０００３】
本発明は殴打部分１を長くすることにより、強打する場合でも狙いを定めやすく、打ち損じがすくなくなるものである。
【図面の簡単な説明】
【図１】ハンドハンマーの平面図である。
【図２】ハンドハンマーの正面図である。
【図３】ハンドハンマーの側面図である。
【図１】
2005007562.tif 000003
【図２】
2005007562.tif 000004
【図３】
2005007562.tif 000005
(57)【要約】【目的】ヘアードライヤーを使用中、両手を自由に使え、髪の毛を乾かす時間を他に有効に使える、ドライヤーを提供するものである。【解決手段】頭髪の毛を覆う、ヘアーカバー（２）に、風の吹き出し穴（３）を方々に開けたダクト（４）を設け、電源（１１）を設けた携帯する送風装置（１）から吹き出し穴（３）に風を送り排気口（１０）から排気し、髪を乾かしながら両手を自由に使える、ドライヤー。【選択図】    図１
2005007098.tif 000002
【特許請求の範囲】
【請求項１】
頭の髪の毛を覆うヘアーカバー（２）に、風の吹き出し穴（３）を方々に開けたダクト（４）を設け、電源（１１）を設けた携帯する送風装置（１）から吹き出し穴（３）に風を送り、排気口（１０）から排気し髪を乾かす、ドライヤー。
【請求項２】
蓄電池（５）を設けた携帯する送風装置（１）にヒーター（７）を設け、熱風を吹き出し髪を乾かす、請求項１のドライヤー。
【発明の詳細な説明】
【０００１】
【産業上の利用分野】
この発明は、コンセントに電源コードを繋ぐ必要もなくなく、携帯する電源を持ち移動が出来、両手が自由に使えて家事、その他の用事をしながら髪を乾かす事が出来るドライヤーに関するものである。
【０００２】
【従来の技術】
従来のドライヤーは電源コードを繋ぎ、ドライヤーを片手で持ち、他方は髪をとかしながら両手がふさがり、ドライヤーを掛ける時は移動することも、また他の用事も出来なかった。
【０００３】
【発明が解決しようとする課題】
ドライヤーを使用する時は、両手が必要で、電源コードの長さに制限があり、移動距離も限られている。  その為、ドライヤーを掛けている時間を他の用事に有効に利用出来なかった。
【０００４】
【課題を解決するための手段】
頭の髪の毛を覆う、ヘアーカバー（２）に、風の吹き出し穴（３）を方々に開けたダクト（４）を設け、電源（１１）を設けた携帯する送風装置（１）から吹き出し穴（３）に風を送り、排気口（１０）から排気し髪を乾かしながら両手を自由に使え移動が出来る、ドライヤー。
【０００５】
頭の髪の毛を覆う、ヘアーカバー（２）に、風の吹き出し穴（３）を方々に開けたパイプ（８）設け、ヒーター（７）を設けた送風装置（１）から吹き出し穴（３）に熱風を送り、排気口（１０）から排気し髪を乾かしながら両手を自由に使え移動が出来る、ドライヤー。
【０００６】
【作用】
ヘアーカバー（２）の内側に、風の吹き出し穴（３）を方々に開けたダクト（４）を設け、吹き出し穴（３）から髪全体に風を送るもので、電源（１１）を持った送風装置（１）からホース（６）を通りダクト（４）に風を送り、吹き出し穴（３）から吹き出し、排気口（１０）から排気し、髪を乾かしながら両手を自由に使え、移動が出来るドライヤー。
【０００７】
【実施例】
以下、本発明の実施例を図面に基づいて説明する。
実施例１
図１、２、に示すように頭の髪の毛を覆う、ヘアーカバー（２）に、風の吹き出し穴（３）を方々に開けたダクト（４）を設け、携帯する電源（１１）を持ち、送風装置（１）からホース（６）を通りダクト（４）で全体の吹き出し穴（３）に風を送り、排気口（１０）から排気し髪を乾かす、ドライヤー。
【０００８】
実施例２
図３、４、に示すように蓄電池（５）を取り付けた送風装置（１）にヒーター（７）を設け、ヘアーカバー（２）に設けたパイプ（８）の吹き出し穴（３）から温風を吹き出し、排気口（１０）から排気し乾燥効果を高めたもので、髪以外に小物の洗濯物を覆い、乾かす事が出来る、ドライヤー。
【０００９】
【発明の効果】
この発明のドライヤーは次のような利点がある。
▲１▼ドライヤーを使用中でも両手が自由に使える。
▲２▼動力源を携帯出来るので移動が自由である。
▲３▼身体が不自由な人でも使うことが出来る。
▲４▼送風した風が無駄なく有効に使える。
▲５▼小物衣類の乾燥が出来る。
【図面の簡単な説明】
【図１】本発明の実施例１、を示す全体図で一部が断面図である。
【図２】実施例１、を示す断面図である。
【図３】実施例２、を示す断面図である。
【図４】実施例２、を示す一部が断面図である。
【符号の説明】
１・・・送風装置
２・・・ヘアーカバー
３・・・吹き出し穴
４・・・ダクト
５・・・蓄電池
６・・・ホース
７・・・ヒーター
８・・・パイプ
９・・・携帯ベルト
１０・・排気口
１１・・電源
【図１】
2005007098.tif 000003
【図２】
2005007098.tif 000004
【図３】
2005007098.tif 000005
【図４】
2005007098.tif 000006
(57)【要約】【課題】この発明は、旅行をしているとき、観劇をしているときなど休憩所のトイレのお化粧台は一気に込み合うので、そういう状況のときに簡単に使用できるように工夫したもので、壁、家具、窓などを使って，簡単にお化粧ができるように、携帯して使えるようにした、簡易化粧用具を提供する。【解決手段】本体（１）の下部に収納袋（２）を設け、上部に折部（３）を設け、折部（３）に両面に吸盤（４）と鏡（５）を設け、留め具（６）を設けたことを特徴とする。【選択図】  図１
2005007100.tif 000002
【特許請求の範囲】
【請求項１】
本体（１）の下部に収納袋（２）を設け、上部に折部（３）を設け、折部（３）に両面に吸盤（４）と鏡（５）を設け、留め具（６）を設け携帯できるようにした簡易化粧用具。
【発明の詳細な説明】
【０００１】
【発明の属する技術分野】
この発明は、旅行をしているときや、観劇時に休憩所のトイレのお化粧台が一気に込み合うので、そういう状況のときに簡単に使用できるように工夫したもので、壁、家具、ドアなどを使って，簡単にお化粧ができるように、携帯して使えるようにした、簡易化粧用具に関するものである。
【０００２】
【従来の技術】
従来、化粧をするとき，必要になる用具具は，鏡，化粧具が必要で，バッグに入れて携帯していた。
ところが、込み合っている状況では，設置されている鏡や置き場が利用できなかった。
鏡を持ったり、荷物を持ったりで、両手が化粧のために使えなかった。
そこで、簡易的に使いたくても、組み合わさった化粧用具はなかった。
また、化粧用具には吸盤が付いたものはなかった。
化粧用具入れの袋に取っ手が付いたものがあり、その取っ手を使い，壁などに固定して使いたくても、釘やフックなどの突起物のないところでは使用することができなかった。
釘やフックなどの突起物がないところでは、高さの調節ができなかった。
鏡が付いていなかった。
【０００３】
【発明が解決しようとする課題】
これはつぎのような欠点があった。
（イ）  袋の折部に吸盤がなかった。
（ロ）  釘やフックなどの突起物のないところでは使用できなかった。
（ハ）  釘やフックなどの突起物のないところでは高さの調節ができなかった。
本発明は、これらの欠点を除くためになされたものである。
【０００４】
【課題を解決するための手段】
本体（１）の下部に収納袋（２）を設け、折部（３）の両面に吸盤（４）と鏡（５）を設け、本体（１）に留め具（６）を設ける。
本発明は以上のような構成よりなる携帯用化粧用具である。
【０００５】
【発明の実施の形態】
以下、本発明の実施の形態について説明する。
（イ）  本体（１）に設けられた留め具（６）を外す。
（ロ）  本体（１）の折部（２）を起こす。
（ハ）  折部（２）に設けられた吸盤（４）を使用して留める。
（ニ）  収納袋（３）から化粧品等を取り出す。
（ニ）  鏡（５）を使用する。
本発明は、以上の構成よりなっている。
本発明を使用するときは、折部（３）を起こして、吸盤（４）を付けようとする場所に接着して、収納袋（２）の中の道具を出し、鏡（５）を用いて化粧する。
【０００６】
【発明の効果】
袋の折部に吸盤を付けて，たとえば、壁や家電製品，ガラスに接着して使える。
突起物のないところでも使用できるようになった。
高さが自由に調節ができるようになった。
装着したときでも、相手にキズを付けない。
【図面の簡単な説明】
【図１】本発明の斜視図である。
【図２】使用時に本発明を表側から見た斜視図である。
【図３】使用時に本発明を裏側から見た斜視図である。
【符号の説明】
１  本体
２  下部に収納袋
３  上部に折部
４  吸盤
５  鏡
６  留め具
【図１】
2005007100.tif 000003
【図２】
2005007100.tif 000004
【図３】
2005007100.tif 000005
(57)【要約】【課題】本発明の目的は、米研ぎ洗米する時に水中に手を入れず、楽な姿勢で米研ぎが出来、又取っ手が握りやすい器具を提供する。【解決手段】この発明は基盤の米研ぎ板のステンレス・パンチング及びメッシュを円形又は楕円形に上面を湾曲にする円形又は楕円形の周りのステンレス・パンチング及びメッシュをステンレスリングに挟み込み、プレスで圧着する容器底が傷が付くのを防ぐ為、又米研ぎ板が容器に触れると音がでるので、金属リングの周りにゴム又はビニールのリングで被せる。取っ手はステンレスで攪拌が楽に出来るＰ型の握りやすい取っ手を設け、留め金で装置する。取っ手のＰ型の上に、ゴム又はビニールを付け、取っ手を持った時に手が疲れないようにしたものである。取っ手の１／２のところにゴム又は合成樹脂を設け、取っ手と米研ぎ板を留め金で装置する。【選択図】        図１
2005007099.tif 000002
【特許請求の範囲】
【請求項１】
取っ手（１）の上部にＰ型（３）を設け、Ｐ型（３）の上にゴム合成樹脂（２）を設け留金（８）を設け、取っ手（１）の中央の軸に（２）を設けた、米研ぎ洗米具。
【請求項２】
基盤に円形又、楕円型の米研ぎ板（４，５）を湾曲にしてリング（６）を設け、パンチング及びメッシュ（５）を挟み込み、プレスで圧着する。リング（６）のまわりに（７）を設けたことを、特徴とする．米研ぎ洗米具。
【発明の詳細な説明】
【０００１】
【発明の属する技術分野】
この発明は、主に家庭で使用される米研ぎ洗米具に関するものである。
【０００２】
【従来の技術】
一般に、米研ぎ作業として昔から容器に米と水を入れ、手の平の摩擦で米研ぎをし、又ゴム手袋，お湯等で米研ぎをする人が多く、お湯で米研ぎをすると洗米している間に米がふやけて、美味しく炊けない原因となる。
若い女性等手荒れを気にして、泡立て器等で米研ぎするのを見かけるが米を掻き混ぜているだげで、米研ぎ作用の役目をしていない、又従来の取っ手は横で握る物が多く、手が疲れる。
【０００３】
【発明が解決しようとする課題】
以上の欠点を解決するために発明されたものである。
冬期の水の冷たい時期、水中に手を入れず手の平と同じ感覚で米研ぎが出来、釜に傷がつかない工夫をし、取っ手も握りやすく楽な姿勢で米研ぎ洗米ができる。
【０００４】
【課題を解決するための手段】
この発明は、基盤の米研ぎ板のステンレス・パンチング及びメッシュを円形、又楕円形に切断し、上面を湾曲にする円形、又は楕円形の周りのステンレス・パンチング及びメッシュをステンレスリングに挟み込みプレスで圧着する。
容器底が傷が付くのを防ぐため、又米研ぎ板が容器に触れると音が出るので金属リングの周りにゴム又はビニールのリングで被せる。
【０００５】
取っ手はステンレスで攪拌が楽に出来る上部にＰ型の握りやすい取っ手を設け、留め金で装着する。
取っ手のＰ型の上に、ゴム又はビニールを付け、取っ手を持った時に、手が疲れないようにしたものである。
取っ手の１／２の所にゴム又は合成樹脂を設け、容器の上部が傷つかないように設置した、取っ手と米研ぎ板を留め金で装着する。
【発明の実施の形態】
以下、本発明の実施の形態を説明する。
イ．基盤として、米研ぎ板（４，５）を円形又楕円形に切断し、上面を湾曲（９）にする。
ロ．円形又楕円形の周りのステンレス・パンチング及びメッシュ（５）をステンレスリング（６）に挟み込みプレスで圧着する。
容器底が傷つかないように、又米研ぎ板（４）が容器に触れると音が出るのを防ぐため、ゴム又はビニール（７）でリング（６）の周りに被せる。
ハ．取っ手、ステンレス（１）で攪拌が楽に出来る上部に握りやすいＰ型（３）の取っ手（１）を設け、Ｐ型（３）の上にゴム又はビニールを設け、取っ手（１）を持った時に手が疲れないようにしたものである。取っ手（１）１／２のところに、ゴム又は合成樹脂を設け、容器の上部が傷が付かないように設置した取っ手米研ぎ板（４）を留め金（８）で装着する。
【発明の効果】
本発明は、米研ぎ洗米する時に、水中に手を入れず楽な姿勢で作業が出来る、又取っ手が握りやすく攪拌も楽で、もし片手に力が入らない時など両手ですりこぎのように使用してもよい。手の平と同じ感覚で米研ぎしているので、米が砕けないため、美味しい御飯が炊きあがる。
【図面の簡単な説明】
【図１】本発明の見取図。
【図２】本発明の基盤の実施例を示す部品図その１。
【図３】本発明の米研ぎ板を湾曲にした実施例を示す、部品図その２
【図４】本発明の米研ぎ板の周りを金属リングでプレスして、その上にゴム又はビニールをコーティングした実施例を示す部品図その３。
【図５】本発明の取っ手の取り付け部の実施例を示す部品図その４。
【図６】本発明の取っ手の取り付け部の一部にゴム又は合成樹脂を設けＰ型の所にゴム又はビニールを取り付けた実施例を示す部品図その５。
【符号の説明】
１．取っ手、金属又は合成樹脂、竹、木
２．ビニール又はゴム、合成樹脂をコーティング
３．取っ手Ｐ型
４．米研ぎ板、金属又は合成樹脂、竹、木
５．パンチング及びメッシュ、金属又は合成樹脂、竹
６．リング、金属、竹
７．リング、ゴム又はビニールをコーティング
８．留め金、リベット
９．湾曲
【図１】
2005007099.tif 000003
【図２】
2005007099.tif 000004
【図３】
2005007099.tif 000005
【図４】
2005007099.tif 000006
【図５】
2005007099.tif 000007
【図６】
2005007099.tif 000008
(57)【要約】【課題】ブラッシングの際に、毛髪或いは頭皮にｐｈに起因する障害を与えない、毛髪或いは頭皮に好ましいヘアーブラシを提供する。【解決手段】ブラッシングの際に毛髪や頭皮と接触する部位、即ちブラシ毛或いはブラシ基台の少なくとも各々の表面を酸性溶液で毛髪や頭皮と同様の弱酸性にする。好ましくは、ブラシ毛或いはブラシ基台は液体が含浸される素材として獣毛や木製等とし、異臭が無く身体に良好で天然成分でもあり比較的酸性が強く溶液の酸度調整が容易に行えるクエン酸を用いた酸性溶液でブラシ毛或いはブラシ基台を毛髪や頭皮と同じｐｈ４．５〜６．０にする。さらに好ましくは、生体内天然保湿成分の主成分であり極めて高い吸湿と保湿作用を有するピロリドンカルボン酸を酸性溶液に配合する。【選択図】        図１
2005007042.tif 000002
【特許請求の範囲】
【請求項１】
少なくともブラシ毛とブラシ基台及び把持部から成るヘアーブラシにおいて、ブラシ毛或いはブラシ基台が酸性溶液で弱酸性に処理されていることを特徴とするヘアーブラシ。
【請求項２】
獣毛又は木製のブラシ毛或いは含浸可能な素材から成るブラシ基台が、少なくともクエン酸を含有する酸性溶液で含浸され、表面がｐｈ４．５〜６．０の弱酸性である請求項１記載のヘアーブラシ。
【請求項３】
該酸性溶液にピロリドンカルボン酸を含有する請求項２記載のヘアーブラシ。
【発明の詳細な説明】
【０００１】
【発明が属する技術分野】
本発明は、ブラッシングの際に、毛髪或いは頭皮に与える負荷を低減するヘアーブラシに関する。
【０００２】
【従来の技術】
従来、ブラシ毛の先端を球状に形成し主に頭皮への刺激を低減したヘアーブラシ、シリコーンオイルなど滑剤をブラシ毛或いはブラシ基台に付与し小さな力でスムースにブラッシングできる主に毛髪への引張りや摩擦を低減したヘアーブラシがある。
【０００３】
【発明が解決しようとする課題】
健康体の毛髪と頭皮のｐｈは、共にｐｈ４．５〜６．０の弱酸性である。毛髪或いは頭皮をｐｈ５前後の弱酸性の水溶液に浸した場合、共に適度な収斂をおこし細胞が活性する。事実、弱酸性の溶液は肌に良いと広く知られており、シャンプー後のリンスも酢を薄めたものが毛髪や頭皮に対してとても好ましいと言われている。同様にアルカリ性の水溶液に浸した場合は、共に膨潤し細胞の腐敗が進む。同じく酸性の強い水溶液に浸した場合は、共に細胞内の成分が溶出し乾燥や軋みが生じる。毛髪や頭皮においては常に若干の湿気があるので、水溶液に限らず外界から接触する物品が乾燥していても前述のようにｐｈ的作用が生じる。従って、毛髪或いは頭皮においてｐｈ的に好ましいヘアーブラシが望まれるが、そのような考えで創られたヘアーブラシは無かった。
【０００４】
本発明はこのような問題に鑑みてなされたものであり、ブラッシングの際に、毛髪或いは頭皮にｐｈに起因する障害を与えない、毛髪或いは頭皮に好ましいヘアーブラシを提供することを目的としている。
【０００５】
【課題を解決するための手段】
上記目的を達成するために本発明のヘアーブラシは、ブラッシングの際に毛髪や頭皮と接触する部位、即ちブラシ毛或いはブラシ基台の少なくとも各々の表面を酸性溶液で毛髪や頭皮と同様の弱酸性にする。
【０００６】
好ましくは、ブラシ毛或いはブラシ基台は液体が含浸される素材として獣毛や木製等とする。また、異臭が無く身体に良好で天然成分でもあり比較的酸性が強く溶液の酸度調整が容易に行えるクエン酸を用いた酸性溶液でブラシ毛或いはブラシ基台を毛髪や頭皮と同じｐｈ４．５〜６．０にする。ｐｈ値について詳しくは、ｐｈ４．５より低い場合は皮膚に乾燥が見られる人がいること、ｐｈ６．０より高い場合は細胞が活性するデータや実感が得難いので毛髪や頭皮と同じｐｈ値になっている。さらに好ましくは、生体内天然保湿成分の主成分であり極めて高い吸湿と保湿作用を有するピロリドンカルボン酸を酸性溶液に配合し含浸処理されたブラシ毛或いはブラシ基台に吸湿・保湿能力を付加しｐｈ値や機能の維持保全を行う。
【０００７】
【実施例】
以下に本発明の実施例を図面に基づいて説明する。
【０００８】
図１は本発明の実施例である。ブラシ毛１を有するブラシ基台２が把持部３に設置される。ブラシ毛１或いはブラシ基台２に酸性溶液を付与し弱酸性にする。但し、例えば酸性溶液を単にブラシ毛１或いはブラシ基台２に塗布するだけでは一度の使用で酸性溶液が消失し機能を失うこともある。また、酸性溶液の成分によっては刺激や異臭等で使用できないことや、ブラシ毛１やブラシ基台２の素材によっては酸性溶液に侵されるなどするので、各々の選定は総合的に検討されたい。
【０００９】
好ましくは、ブラシ毛１は獣毛或いは木製とする。ブラシ基台２は酸性溶液の含浸で劣化しない木製等が良いが、ブラシ基台１表面を合成樹脂製の発泡体や布或いは皮革等をシート状にしたものを設置形成されたものとし、ブラシ基台の表面層のみ酸性溶液で含浸するのも好ましい。把持部３は木製や合成樹脂製が良くブラシ基台２と一体に成形しても良い。酸性溶液はクエン酸を主成分とするのが好ましく、その他例えば酸性度は低いが保湿成分を有するグルタミン酸等の酸性アミノ酸のように含浸するうえで支障が無い酸を種々配合するのも良い。さらには、酸性溶液の粘度調整や親水性化或いは毛髪や頭皮に対する保護や美容効果等のために、例えばシリコーンオイルや滑剤・皮脂成分としての各種グリセライドやアミノ酸及びプロテインなどを酸性溶液に添加するのも良く、特に好ましくはピロリドンカルボン酸を配合するのが良い。含浸については、酸性溶液に配合された成分によっては、酸性溶液の一部がブラシ毛１或いはブラシ基台２の表面以下内部に浸漬しておれば、一部成分がブラシ毛１或いはブラシ基台２の表面に固着し被うこともいう。また、ブラシ毛１或いはブラシ基台２に含浸された成分は使用や経時的に減少しｐｈ値の変化や機能低下を生じるので長期の使用には適さないが、特願２００３−１７３６２５のように減少する成分を自然補給する構造にして対処することもできる。
【００１０】
【発明の効果】
以上説明したように本発明のヘアーブラシは、ブラッシングの際に、毛髪或いは頭皮に膨潤や腐敗或いは栄養成分の溶出や乾燥等のｐｈに起因する障害を与えない。また、毛髪或いは頭皮に負荷を与えず、むしろ細胞の活性化が望める環境を提供する。さらには、ピロリドンカルボン酸の使用で前述の効果の向上がなされるとともに毛髪や頭皮に対し僅かながらも潤いを与えるなどの美容効果も得られる。
【図面の簡単な説明】
【図１】本発明のヘアーブラシの、実施例１の斜視図である。
【符号の説明】
１    ブラシ毛
２    ブラシ基台
３    把持部
【図１】
2005007042.tif 000003
(57)【要約】【課題】体重を利用することにより手軽で微妙な圧力調整が出来、外殻を備えている為、手を使わず脱着することが出来、構造が簡単な為、安価で供給する事が出来るマッサージ器を提供する。【解決手段】外殻（１）の中に空気室（２）のついたマッサージ室（４）を装着し、その中に足（３）を入れ体重をかけることで空気室（２）の空気が体重によりマッサージ室（４）に送られ足（３）を圧迫しマッサージ効果を生むことを特徴とする。【選択図】図１
2005007085.tif 000002
【特許請求の範囲】
【請求項１】
膝周辺あるいは脛周辺から下の足をマッサージするマッサージ器においてマッサージ器本体内部には、外殻内面との間に空気室を介して膝周辺から下の足を挿入し、体重をかけたり緩める事で空気室の空気がマッサージ室との間を移動する事により圧迫と弛緩がされることでマッサージが出来るように成形されたマッサージ室からなることを
特徴としたマッサージ器。
【発明の詳細な説明】
【０００１】
【発明の属する技術分野】
この発明は、体重を利用した空気圧によるマッサージ器に関するものである。
【０００２】
【従来の技術】
従来はコンプレッサー等の動力源を用いて、空気を送り込みエアバッグを膨らませて圧迫することでマッサージをしていた。
エアバックを脛などに巻付けマジックテープ（登録商標）などで固定していた（例えば、特許文献１参照）。
【０００３】
【特許文献１】
特開２００１−１７８７９０
【０００４】
【発明が解決しようとする課題】
これには次のような欠点があった。
（イ）コンプレッサー等の動力源などが必要な為、自宅など限られた場所でしか使用することが出来ない。
（ロ）コンプレッサー等の動力源が必要な為高価になってしまう。
（ハ）機械制御の為微妙な圧力調整が出来ない。
（二）エアバックを脛、足の甲などに巻付け、マジックテープ（登録商標）などで固定しなければならない。
本発明は、これらの欠点を除くためになされたものである。
【０００５】
【課題を解決する為の手段】
足の踏み面の下に空気室を設け体重で押し出された空気がマッサージ室に回り込み足を圧迫する。
外殻の中にマッサージ室がある為マッサージ室を巻き付けることなく足を入れ体重をかけるだけでマッサージをする事が出来る。
本発明は、以上のような構成よりなる、マッサージ器である。
【０００６】
【発明の実施の形態】
以下、本発明の実施例について説明する。
（イ）外殻（１）の中に空気室（２）のついたマッサージ室（４）を入れる。
（ロ）マッサージ室（４）の中に足（３）を入れ体重をかける。
（ハ）空気室（２）の空気が体重によりマッサージ室（４）に送られ膨らもうとするが外殻（１）により外側に膨らむことが出来ない為、足（３）を圧迫することでマッサージ効果を生む。
（ニ）踏み面（５）の下に弾性部材（６）をつけることで  体重を緩めた時、足（３）を圧迫していたマッサージ室（４）の  空気が空気室（２）に素早く戻り即座に足（３）を弛緩  させる事が出来る。
（ホ）空気の代わりに液体を使用すると圧縮による収縮がほとんど無い為、より高い圧迫とマッサージ効果を生む。
【０００７】
【発明の効果】
これには次のような効果がある。
（イ）コンプレッサー等の動力源を必要としない為安価である。
（ロ）コンプレッサー等の動力源を必要としない為使用時にコストがかからない。
（ハ）コンプレッサー等からのホースやケーブルを必要としない為、歩きながら使用することが出来る。
（ニ）立ったり椅子に座ったりして体重を調整することで無理の無い圧力でマッサージが出来る。
（ホ）外殻内にマッサージ室を取り付けてある為、手を使いマッサージ室を脛に巻付けたり外したりすることなく靴に足を入れるように手軽に使用する事ができる。
（へ）マッサージ室に指圧突起（７）をつけることで、足のツボを刺激することが出来る。
本発明は、これらの効果をもたらすものである。
【図面の簡単な説明】
【図１】本発明の使用断面図である。
【図２】本発明の圧縮時を表した使用断面図である。
【符号の説明】
１  外殻
２  空気室
３  足
４  マッサージ室
５  踏み面
６  弾性部材
７  指圧突起
【図１】
2005007085.tif 000003
【図２】
2005007085.tif 000004